(57)【要約】      （修正有）【課題】ランプの方向を換えて定位可能なアダプタを提供する。【解決手段】調節式ランプホルダ４０を備え、調節式ランプホルダ４０には第一貫通孔４１と端子４２とを設置し、端子４２は調節式ランプホルダ４０を貫通し、調節式ランプホルダ４０内には少なくとも１個の位置限定部と定位部品４４を設置し、定位部品４４には第一端３０１と第二端３０２を設置し、第一端３０１には数個の定位凸部４５を設置し、定位部品４４の第一端３０１には導電片４６を設置し、導電片４６は端子４２と相互に触接し、導電片４６には延伸片４６１を設置し、定位部品４４には少なくとも２個の係合部４８を設置し、調節式ランプホルダ４０内に定位部品４４と位置限定部を設置し、定位部品４４には数個の定位凸部４５を設置し、各定位凸部４５と位置限定部の位置とは相互に対応し、調節式ランプホルダ４０内には導電片４６と端子４２を設置し、端子４２は導電片４６と相互に接触する。【選択図】図２
0003189217.tif 000002
【実用新案登録請求の範囲】
【請求項１】
ランプの方向を換えて定位可能なアダプタは、ランプソケット、ランプカバー、冷陰極ランプ、２個の調節式ランプホルダを備え、
該ランプソケットには、頂端と底端とを設置し、また該ランプソケットの頂端には、数個の係合孔を設置し、該各係合孔は、一直線に配列し、該各係合孔には、係合部品を設置し、該各係合部品は、各係合孔と相互に係合し、また該各係合部品には、クランプアームを設置し、該底端の前後両端には、第一被係合孔をそれぞれ設置し、また該ランプソケットには、中空部を設置し、該中空部内には、配電部品を設置し、
該冷陰極ランプには、第一端と第二端を設置し、また該冷陰極ランプは、該ランプソケットのクランプアームにより挟んで固定され、
該ランプカバーは、該ランプソケットの頂端と相互に係合し、また該ランプカバーの前後両端には、第二被係合孔をそれぞれ設置し、該各第二被係合孔と該ランプソケットの底端の各第一被係合孔の位置とは相互に対応し、
該各調節式ランプホルダは、該ランプソケットの前後両端にそれぞれ設置し、該各調節式ランプホルダには、第一貫通孔と端子とを設置し、該端子は、該調節式ランプホルダを貫通し、また該各調節式ランプホルダ内には、少なくとも１個の位置限定部を設置し、該各調節式ランプホルダ内には、定位部品を設置し、また該定位部品には、第一端と第二端を設置し、該第一端には数個の定位凸部を設置し、また該各定位凸部と調節式ランプホルダの位置限定部の位置は相互に対応し、該定位部品の第一端には、導電片を設置し、また該導電片と端子相互に接触して接続し、該導電片には、延伸片を設置し、また該延伸片は、該定位部品の第一端から、該定位部品の第二端まで通過して設置し、該定位部品の導電片の延伸片は、該ランプソケットの前後両端に設置し、該冷陰極ランプの第一端及び第二端と、導線により相互に電気的に連接され、
該定位部品の第二端には、定位部を設置し、該定位部には、少なくとも２個の係合部を設置し、また該定位部は、ランプソケットの中空部内に設置し、該定位部の各係合部は、該ランプソケットの第一被係合孔及び該ランプカバーの第二被係合孔と、相互に対応して係合し、また該定位部品には、第二螺合固定孔を設置し、該第二螺合固定孔と該調節式ランプホルダの第一貫通孔の位置とは、相互に対応し、螺合固定部品により、螺合して固定することを特徴とするランプの方向を換えて定位可能なアダプタ。
【請求項２】
前記導電片は、環状であることを特徴とする請求項１に記載のランプの方向を換えて定位可能なアダプタ。
【請求項３】
前記定位部品はさらに、２個の弾性サポート部を備えることを特徴とする請求項１或いは２の任意の一項に記載のランプの方向を換えて定位可能なアダプタ。
【考案の詳細な説明】
【技術分野】
【０００１】
本考案はランプの方向を換えて定位可能なアダプタに関し、特に調節式ランプホルダ内に定位部品と位置限定部を設置し、定位部品には数個の定位凸部を設置し、各定位凸部と位置限定部の位置とは相互に対応し、また調節式ランプホルダ内には導電片と端子を設置し、端子は導電片と相互に接触し、調節式ランプホルダとランプとを組合せて使用することで、照射角度調整の効果を達成し、こうしてランプはさまざまな照射角度に回転できるランプの方向を換えて定位可能なアダプタに関する。
【背景技術】
【０００２】
一般のランプ構造は、図１に示すように、ランプシェード10、ベース11、冷陰極蛍光灯12、配電部品13、ランプホルダ14等構成部材により組成する。
該ランプシェード10は、プラスチックで製造し、しかも光を透過させる中空管状で、内部中央の両側に細長い形状の設置槽101をそれぞれ設置する。
該ベース11は、硬質プラスチック製品で、ランプシェード10の設置槽101上に挿入して結合する。
該冷陰極蛍光灯12は、ベース11底部に接続して設置し、該配電部品13は、ベース11頂点部に接続して設置し、冷陰極蛍光灯12と導通する。
該ランプホルダ14は、ランプシェード10の前後両端上に嵌めて固定し、端子141を設置し、これにより導線により、配電部品13と連結する。
該ランプホルダ14の端子141と外部電源装置の電気的連接により、該ランプ構造は、照明の効果を達成する。
【０００３】
上記したように、従来のランプ構造は、照明の効果を達成することはできる。
しかし、使用者が該ランプを装置する時、該ランプの照射角度を調整しようとしても、該配電部品13と該端子141とは、導線142により電気的連接されるため、回転調整の角度は導線142制限を受けざるを得ない。
これにより、単一角度にしか照射できないという欠点が生じ、また該導線142は回転角度が過大であることで断裂し、使用不能となるという欠点も生じる。
本考案は、従来のランプの上記した欠点に鑑みてなされたものである。
【先行技術文献】
【特許文献】
【０００４】
【特許文献１】特開２００４−１５２６３３号公報
【考案の概要】
【考案が解決しようとする課題】
【０００５】
本考案が解決しようとする課題は、調節式ランプホルダ内に定位部品と位置限定部を設置し、定位部品に数個の定位凸部を設置し、各定位凸部と位置限定部の位置とは相互に対応し、調節式ランプホルダ内には導電片と端子を設置し、端子は導電片と相互に接触し、調節式ランプホルダとランプとを組合せて使用することで、照射角度調整の効果を達成し、こうしてランプをさまざまな角度に照射可能とし、回転角度が過大であるため導線が断裂し使用不能となるという欠点を改善することができるランプの方向を換えて定位可能なアダプタを提供することである。
【課題を解決するための手段】
【０００６】
上記課題を解決するため、本考案は下記のランプの方向を換えて定位可能なアダプタを提供する。
ランプの方向を換えて定位可能なアダプタは、ランプソケット、冷陰極ランプ、２個の調節式ランプホルダ、ランプカバーを備え、
該ランプソケットには、頂端と底端とを設置し、該ランプソケットの頂端には、数個の係合孔を設置し、該各係合孔は、一直線に配列し、該各係合孔には、係合部品を設置し、該各係合部品は、各係合孔と相互に係合し、該各係合部品には、クランプアームを設置し、該底端前後両端には、第一被係合孔をそれぞれ設置し、また該ランプソケットには、中空部を設置し、
該冷陰極ランプには、第一端と第二端を設置し、該冷陰極ランプは、該ランプソケットのクランプアームにより挟んで固定され、
該ランプカバーは、ランプソケットの頂端と相互に係合し、該ランプカバー前後両端には、第二被係合孔をそれぞれ設置し、該各第二被係合孔と該ランプソケットの底端の各第一被係合孔の位置とは相互に対応し、
該各調節式ランプホルダは、該ランプソケットの前後両端にそれぞれ設置し、該各調節式ランプホルダには、第一貫通孔と端子とを設置し、該端子は、該調節式ランプホルダを貫通し、該各調節式ランプホルダ内には、少なくとも１個の位置限定部を設置し、該各調節式ランプホルダ内には、定位部品を設置し、該定位部品には、第一端と第二端を設置し、該第一端には数個の定位凸部を設置し、また該各定位凸部と該調節式ランプホルダの位置限定部の位置とは相互に対応し、該定位部品の第一端には、導電片を設置し、また該導電片は、端子と相互に触接し、該導電片には、延伸片を設置し、また該延伸片は、定位部品の第一端より、定位部品の第二端まで通して設置し、該定位部品の第二端には、定位部を設置し、また該定位部には、少なくとも２個の係合部を設置し、
該定位部は、ランプソケットの中空部内に設置し、該定位部の各係合部は、該ランプソケットの第一被係合孔及び該ランプカバーの第二被係合孔と相互に係合し、該定位部品には、第二螺合固定孔を設置し、該第二螺合固定孔と該調節式ランプホルダの第一貫通孔の位置とは、相互に対応し、螺合固定部品により螺合固定され、
こうして、該調節式ランプホルダと該定位部品とは、最良の螺合固定の効果を達成することができる。
【考案の効果】
【０００７】
本考案のランプの方向を換えて定位可能なアダプタは、調節式ランプホルダ内に定位部品と位置限定部を設置し、定位部品には数個の定位凸部を設置し、各定位凸部と位置限定部の位置とは相互に対応し、調節式ランプホルダ内には導電片と端子を設置し、端子は導電片と相互に接触し、調節式ランプホルダとランプとを組合せて使用することで、照射角度調整の効果を達成し、こうしてランプをさまざまな照射角度に回転させることができる。
【図面の簡単な説明】
【０００８】
【図１】従来の構造の立体分解模式図である。
【図２】本考案の立体分解模式図である。
【図３】本考案の局部分解模式図である。
【図４】本考案の立体組合せ模式図である。
【図５】本考案の調節式ランプホルダの別種の角度の立体分解模式図である。
【図６】本考案の定位部品の断面側視模式図である。
【図７】本考案の調節式ランプホルダの断面側視模式図である。
【図８】本考案の組合せ断面模式図である。
【図９】本考案の照射角度の調整動作を示す模式図である。
【考案を実施するための形態】
【０００９】
以下に図面を参照しながら本考案を実施するための最良の形態について詳細に説明する。
【実施例】
【００１０】
図２、４に示すように、本考案のランプの方向を換えて定位可能なアダプタは、ランプソケット20、冷陰極ランプ30、ランプカバー25、２個の調節式ランプホルダ40を備える。
【００１１】
該ランプソケット20には、頂端201と底端202とを設置し、また該ランプソケット20の頂端201には、数個の係合孔21を設置し、該各係合孔21は、一直線に配列する。
【００１２】
該各係合孔21には、係合部品22を設置し、該各係合部品22は、各係合孔21と相互に係合し、また該各係合部品22には、クランプアーム221を設置する。
【００１３】
該底端202前後両端には、第一被係合孔203をそれぞれ設置し、また該ランプソケット20には、中空部23を設置し、該中空部23内には、配電部品を設置する。
【００１４】
該冷陰極ランプ30には、第一端301と第二端302を設置し、また該冷陰極ランプ30は、該ランプソケット20のクランプアーム221により挟んで固定される。
【００１５】
該ランプカバー25は、ランプソケット20の頂端201と相互に係合し、また該ランプカバー25前後両端には、第二被係合孔251をそれぞれ設置する。
【００１６】
該各第二被係合孔251と該ランプソケット20の底端202の各第一被係合孔203の位置とは相互に対応する(図３参照)。
【００１７】
該各調節式ランプホルダ40は、ランプソケット20の前後両端にそれぞれ設置し、また該各調節式ランプホルダ40には、第一貫通孔41と端子42とを設置する。
【００１８】
該端子42は、該調節式ランプホルダ40を貫通し、また該各調節式ランプホルダ40内には、少なくとも１個の位置限定部43を設置する。
【００１９】
図５に示すように、該各調節式ランプホルダ40内には、定位部品44を設置し、また該定位部品44には、第一端441と第二端442とを設置する。
【００２０】
該第一端441には、数個の定位凸部45を設置し、また該各定位凸部45と該調節式ランプホルダ40の位置限定部43の位置とは相互に対応し、これにより該定位部品44は、位置限定の効果を達成する。
【００２１】
該定位部品44の第一端441には、導電片46を設置し、また該導電片46は、環状を呈し、該導電片46は、端子42と相互に触接する。
【００２２】
該導電片46には、延伸片461を設置し、該延伸片461は、定位部品44の第一端441より、定位部品44の第二端442まで通して設置する。
【００２３】
該定位部品44の導電片46の延伸片461は、該ランプソケット20の前後両端に設置し、該冷陰極ランプ30の第一端301及び第二端302と、導線により相互に電気的連接される。  
【００２４】
該定位部品44の第二端442には、定位部47を設置し、また該定位部47には、少なくとも２個の係合部48を設置する。
【００２５】
該定位部47は、ランプソケット20の中空部23内に設置し、また該定位部47の各係合部48は、該ランプソケット20の第一被係合孔203及び該ランプカバー25の第二被係合孔251と、相互に係合する。
【００２６】
図３に示すように、該定位部品44には、第二螺合固定孔49を設置し、また該第二螺合固定孔49には、内ネジヤマを設置する。
【００２７】
該第二螺合固定孔49と該調節式ランプホルダ40の第一貫通孔41の位置とは、相互に対応し、螺合固定部品411により螺合固定される。
【００２８】
こうして、該調節式ランプホルダ40と該定位部品44とは、最良の螺合固定の効果を達成することができる。
【００２９】
図５に示すように、該各調節式ランプホルダ40内に少なくとも１個の位置限定部43を設置し、該各調節式ランプホルダ40内に定位部品44を設置し、該定位部品44に第一端441と第二端442とを設置し、該第一端441に数個の定位凸部45を設置し、該各定位凸部45と該調節式ランプホルダ40の位置限定部43の位置とは相互に対応する。
【００３０】
これにより該定位部品44は、位置限定の効果を達成するため、使用者が、本考案のランプソケット20の角度を調整しようとする時には、図８に示すように、該調節式ランプホルダ40内の位置限定部43により、先ず、該定位部品44の定位凸部45と分離し、角度を回転させた後に再び組み合わせる。
【００３１】
さらに、該定位部品44には位置が異なる数個の定位凸部45を設置することで、該ランプソケット20、即ちランプカバー25は、照射角度調整の効果を達成することができ、こうして使用者は自ら該ランプソケット20、即ちランプカバー25の角度調整の目的を達成することができる。
【００３２】
さらに、該定位部品44には、導電片46を設置し、また該導電片46は、端子42と相互に触接し、該導電片46は環状であるため、該調節式ランプホルダ40を回す時に、該端子42は、該導電片46と相互接触を持続し、回転時にも使用を継続することができる。
【００３３】
こうして、該調節式ランプホルダ40は、さまざまな角度に回して定位し、使用する目的を達成でき、さらに該調節式ランプホルダ40の定位部品44には、係合部48を設置し、これにより本考案は便利で迅速に分解/組立てが可能となる。
【００３４】
さらに、図５、６に示すように、本考案の調節式ランプホルダ40の定位部品44の第一端441にはさらに、２個の弾性サポート部443を設置し、また該各弾性サポート部443は、導電片46と相互に弾性接触する。
【００３５】
該各弾性サポート部443と該導電片46とは弾性接触するため、図７に示すように、該端子42と該導電片46との接触時に、長さが不揃いな状況があっても、端子42の接触時に弾性誤差調整の効果を達成でき、こうして導電片46と端子42との間の持続的な接触導電を確実に達成することができる。
【００３６】
本考案の進歩性と実用性を、比較分析により、以下に明記する
従来の技術の欠点：
1、単一角度にしか照射できない。
2、回転角度が過大で断裂し使用できない恐れがある。
本考案の長所：
1、照射角度を調整可能。
2、回転時の継続使用が可能。
3、さまざまな角度に定位して使用できる。
【００３７】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００３８】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００３９】
10  ランプシェード
101  設置槽
11  ベース
12  冷陰極蛍光灯
13  配電部品
14  ランプホルダ
141  端子
142  導線
20  ランプソケット
201  頂端
202  底端
203  第一被係合孔
21  係合孔
22  係合部品
221  クランプアーム
23  中空部
25  ランプカバー
251  第二被係合孔
30  冷陰極ランプ 
301  第一端
302  第二端
40  調節式ランプホルダ
41  第一貫通孔
411  螺合固定部品
42  端子
43  位置限定部
44  定位部品
441  第一端
442  第二端
443  弾性サポート部
45  定位凸部
46  導電片
461  延伸片
47  定位部
48  係合部
49  第二螺合固定孔
【図１】
0003189217.tif 000003
【図２】
0003189217.tif 000004
【図３】
0003189217.tif 000005
【図４】
0003189217.tif 000006
【図５】
0003189217.tif 000007
【図６】
0003189217.tif 000008
【図７】
0003189217.tif 000009
【図８】
0003189217.tif 000010
【図９】
0003189217.tif 000011